(57)【要約】      （修正有）【課題】内視鏡用クリップを清潔に保つことができ、より簡便にカテーテルへの装着作業を行うことができる、内視鏡用クリップを収納するための包装体を提供する。【解決手段】体内の部位を把持可能に開閉する把持部５４を一端に有し、カテーテル６０に接続される接続部５２を他端に有する内視鏡用クリップ５０を収納するための包装体１００であって、基材２０と、フィルム１０とを備え、基材とフィルムとの間に内視鏡用クリップが遊動しない状態で収納されるように、基材とフィルムとがヒートシールされたヒートシール部１６を有し、内視鏡用クリップを収納した場合において、当該内視鏡用クリップの接続部の平面視側部に位置するヒートシール部の少なくとも一方が、接続部に向かって湾入するような凹み１５を有している、内視鏡用クリップを収納するための包装体。【選択図】図２
0003123739.tif 000002
【実用新案登録請求の範囲】
【請求項１】
体内の部位を把持可能に開閉する把持部を一端に有し、カテーテルに接続される接続部を他端に有する内視鏡用クリップを収納するための包装体であって、
基材と、フィルムとを備え、
該基材と該フィルムとの間に前記内視鏡用クリップが遊動しない状態で収納されるように、該基材と該フィルムとがヒートシールされたヒートシール部を有し、
前記内視鏡用クリップを収納した場合において、当該内視鏡用クリップの前記接続部の平面視側部に位置するヒートシール部の少なくとも一方が、前記接続部に向かって湾入するような凹みを有している、内視鏡用クリップを収納するための包装体。
【請求項２】
前記内視鏡用クリップを収納した場合において、当該内視鏡用クリップの前記接続部の平面視側部に位置するヒートシール部の両方が、前記接続部に向かって湾入するような凹みを有している、請求項１に記載の内視鏡用クリップを収納するための包装体。
【請求項３】
前記基材から前記フィルムを剥離した際に、前記凹みを介して前記フィルムが切断され、前記フィルムの一部が剥離することにより、前記内視鏡用クリップの接続部近傍のみが露出する、請求項１または２に記載の内視鏡用クリップを収納するための包装体。
【請求項４】
前記凹みが、頂角が７０°以下の鋭角状の凹部である、請求項１〜３のいずれかに記載の内視鏡用クリップを収納するための包装体。
【請求項５】
前記内視鏡用クリップを収納した場合において、当該内視鏡用クリップの前記接続部の平面視側部方向における包装体の側端部に、フィルムが切断される際の起点となる切り込みが形成されている、請求項１〜４のいずれかに記載の内視鏡用クリップを収納するための包装体。
【請求項６】
前記フィルムが、前記内視鏡用クリップを収納した場合において、当該内視鏡用クリップの前記接続部の平面視側部方向において切断し易いフィルムである、請求項１〜５のいずれかに記載の内視鏡用クリップを収納するための包装体。
【請求項７】
請求項１〜６のいずれかに記載の包装体、およびその内部に収納された内視鏡用クリップを備えた、内視鏡用クリップ内蔵包装体。
【考案の詳細な説明】
【技術分野】
【０００１】
本考案は、内視鏡用クリップを個包装するために用いられる包装体に関する。
【背景技術】
【０００２】
従来、特許文献１に記載されているような内視鏡用クリップを個包装するための包装体が利用されていた。この包装体は、包装体のフィルムを剥離して内部に収納された内視鏡用クリップを取り出し、この内視鏡用クリップを手に持ってカテーテルの先端に装着することにより使用されていた。
【特許文献１】特開２０００−３３５６３１号公報
【考案の開示】
【考案が解決しようとする課題】
【０００３】
しかし、この場合、内視鏡用クリップを手に直接持つ必要があるため、内視鏡用クリップが不衛生となっていた。また、包装体のフィルムの剥離がうまくいかず、作業が手間取る場合があった。このため、より簡便で、清潔に利用できる包装体が求められていた。
【０００４】
そこで、本考案は、クリップを清潔に保つことができ、より簡便に内視鏡用クリップをカテーテルに装着することができる、内視鏡用クリップを収納するための包装体、および内視鏡用クリップ内蔵包装体を提供することを課題とする。
【課題を解決するための手段】
【０００５】
以下、本考案について説明する。なお、本考案の理解を容易にするために添付図面の参照符号を括弧書きにて付記するが、それにより本考案が図示の形態に限定されるものではない。
【０００６】
第１の本考案は、体内の部位を把持可能に開閉する把持部（５４）を一端に有し、カテーテルに接続される接続部（５２）を他端に有する内視鏡用クリップ（５０）を収納するための包装体であって、基材（２０）と、フィルム（１０）とを備え、基材とフィルムとの間に内視鏡用クリップが遊動しない状態で収納されるように、基材とフィルムとがヒートシールされたヒートシール部（１６）を有し、内視鏡用クリップを収納した場合において、当該内視鏡用クリップ（５０）の接続部（５２）の平面視側部に位置するヒートシール部（１６）の少なくとも一方が、接続部に向かって湾入するような凹み（１５）を有している、内視鏡用クリップを収納するための包装体（１００）である。
【０００７】
第１の本考案において、内視鏡用クリップ（５０）を収納した場合において、当該内視鏡用クリップ（５０）の接続部（５２）の平面視側部に位置するヒートシール部（１６）の両方が、接続部に向かって湾入するような凹み（１５）を有していることが好ましい。
【０００８】
内視鏡用クリップ（５０）を収納した第１の本考案の包装体を実際に使用する場合、基材（２０）からフィルム（１０）を剥離した際に、凹み（１５）を介してフィルムが切断され、フィルムの一部が剥離することにより、内視鏡用クリップ（５０）の接続部（５２）近傍のみが露出される。
【０００９】
第１の本考案において、凹み（１５）は、頂角が７０°以下の鋭角状の凹部であることが好ましい。
【００１０】
第１の本考案において、内視鏡用クリップ（５０）を収納した場合において、当該内視鏡用クリップ（５０）の接続部（５２）の平面視側部方向における包装体（１００）の側端部に、フィルムが切断される際の起点となる切り込み（３０）が形成されていることが好ましい。
【００１１】
第１の本考案において、フィルム（１０）は、内視鏡用クリップ（５０）を収納した場合において、当該内視鏡用クリップ（５０）の接続部（５２）の平面視側部方向において切断し易いフィルムであることが好ましい。
【００１２】
第２の本考案は、第１の本考案の包装体（１００）、およびその内部に収納された内視鏡用クリップ（５０）を備えた、内視鏡用クリップ内蔵包装体である。
【考案の効果】
【００１３】
本考案の包装体によれば、基材とフィルムとの間に内視鏡用クリップが遊動しない状態で収納されるように、および、内視鏡用クリップを収納した場合において、当該内視鏡用クリップの接続部の平面視側部に位置するヒートシール部の少なくとも一方が、接続部に向かって湾入するような凹みを有するように、ヒートシール部が形成されている。これにより、基材からフィルムを剥離した際に、該凹みを介してフィルムが切断され、フィルムの一部が剥離することにより、内視鏡用クリップの接続部近傍のみを露出させることができる。そして、露出していない把持部を、包装体を介して掴んで、接続部をカテーテルに接続することにより、クリップの衛生を保つことができ、クリップの装着作業を容易かつ迅速に行うことができる。
【考案を実施するための最良の形態】
【００１４】
＜本考案の概要＞
以下本考案を図面に示す実施形態に基づき説明する。
図１（ａ）に本考案の内視鏡用クリップを収納するための包装体の平面図（正面図）を示す。図１（ｂ）に本考案の内視鏡用クリップを収納するための包装体の背面図を示す。また、図２に本考案の内視鏡用クリップを収納するための包装体の使用形態を示す。
【００１５】
まず、図１および図２に基づいて、本考案の内視鏡用クリップ５０を収納するための包装体１００の概要を説明する。図１に示したように、本考案の内視鏡用クリップ５０（図２）を収納するための包装体１００は、基材２０およびフィルム１０を備えて構成され、例えば矩形状に形成されている。基材２０およびフィルム１０には、互いにヒートシールされたヒートシール部１６と、ヒートシール部１６以外の部分である、ヒートシールされていない非ヒートシール部１２、１４とが設けられている。非ヒートシール部１４は、フィルム１０および基材２０の略中央部分に設けられ、非ヒートシール部１４におけるフィルム１０および基材２０の間は、その下側部分が開放した状態になっている。この開放部分を介して、非ヒートシール部１４には、内視鏡用クリップ５０が収納される。また、非ヒートシール部１２は、フィルム１０および基材２０の隅部分（図１中の上側の左右部分）に設けられ、フィルム１０を基材２０から剥離する際にフィルム１０を掴むため等に使用される。
【００１６】
非ヒートシール部１４に内視鏡用クリップ５０が収納された後、非ヒートシール部１４の端部がヒートシールされる。これにより、図２（ａ）に示すような形態となる。この形態において滅菌され、商品として流通し、医療現場において使用される。
【００１７】
現場での使用形態を説明すると、非ヒートシール部１２におけるフィルム１０を掴んで、図２（ａ）矢印Ｘ方向に引っ張ることにより、図２（ａ）における上部側のフィルム１０が基材２０から剥離される。これにより図２（ｂ）に示したように、内視鏡用クリップ５０の接続部５２のみが外部に露出する。そして、この露出した接続部５２を、カテーテル６０に装着する。これにより、内視鏡用クリップ５０に触れなくても、内視鏡用クリップ５０をカテーテル６０に装着することができる。以下、本考案の各構成要素について個別に説明する。
【００１８】
＜内視鏡用クリップ５０＞
本考案の包装体に収納することができる内視鏡用クリップ５０は、特に限定されず、衛生上等の点から、手に直接触れない方が好ましい用途に使用されるものであればよい。
【００１９】
例えば、図２に示した内視鏡用クリップ５０は、クリップ本体５６と、クリップ本体５６を開閉するための部材である管状部材としての押さえ管５８とを備えて構成される。クリップ本体５６は、一端側の把持部５４と、他端側の接続部５２とを備えて構成されている。把持部５４は、体内の部位を把持可能に開閉する一対の腕部を有する、例えば断面Ｖ字状の部材である。接続部５２は、後述するカテーテル６０の先端部分を取り付ける部分であり、例えば断面Ｖ字状の根元部分に設けられたリング状の部分である。押さえ管５８は、把持部５４と接続部５２との間で摺動可能に構成され、この押さえ管５８の摺動により、Ｖ字状の把持部５４の先端部分を開閉させることができる。すなわち、この形態のクリップ５０においては、リング状の接続部５２を図２（ｂ）における上方向に引っ張って、換言すれば、クリップ本体５６の位置を固定した状態で、押さえ管５８を図中下側に押し下げることにより、把持部５４が閉じるようになっている。また、この動作の逆の動作を行うこと、すなわち、押さえ管５８の位置を固定した状態で、クリップ本体５６の接続部５２を図中下側に押し下げることにより、把持部５４を開くことができる。図２（ｃ）に示すように、接続部５２は、カテーテル６０の先端部に接続される。内視鏡用クリップ５０の材質は、特に限定されないが、通常はステンレス製である。
【００２０】
＜包装体１００＞
本考案の包装体１００は、基材２０とフィルム１０により構成され、基材２０とフィルム１０の所定部分がヒートシールされている。
【００２１】
（基材２０）
基材２０としては、不織布が使用される。不織布としては、例えば、タイベック１０５９Ｂ（デュポン社製）等の多孔性不織布を使用することができる。
【００２２】
（フィルム１０）
フィルム１０としては、基材層／ヒートシール層の構成の積層フィルムを用いることができる。例えば、ポリエチレンテレフタレート／ポリエチエレン、ポリエチレンテレフタレート／無延伸ポリプロピレン、ナイロン／ポリエチレン、ナイロン／無延伸ポリプロピレン等の積層フィルムを挙げることができる。
【００２３】
基材２０として不織布を使用する場合は、上記フィルム１０のヒートシール層と不織布とを接触させて加熱圧着することによりヒートシールすることができる。また、基材２０として紙等のヒートシール性を有さない材料を使用する場合は、基材２０上にホットメルト接着剤をコーティングしてから、フィルム１０とヒートシールさせることができる。
【００２４】
フィルム１０は、内視鏡用クリップ５０の接続部５２の平面視側部方向、つまり、図１および図２における横方向において、切断し易いフィルムであることが好ましい。このようなフィルムとしては、該横方向に延伸処理されたフィルム、該横方向に沿って直線状のエンボス形状が表面に付与されたフィルム等を用いることができる。
【００２５】
（ヒートシール部１６）
本考案の包装体１００は、ヒートシール部１６の形状に特徴を有している。まずヒートシール部１６は、内視鏡用クリップ５０を遊動しない状態で収納できるように形成される。図１（ａ）に示した形態により具体的に説明すると、ヒートシール部１６を形成することにより、非ヒートシール部１４、１２が形成される。非ヒートシール部１４は、内視鏡用クリップ５０を収納するための部分であり、略三角形状に形成されている。これにより、図２（ａ）に示したように、内視鏡用クリップ５０を収納して、非ヒートシール部１４の平面視下部がヒートシールされた場合に、内視鏡用クリップ５０が接続部５２を上に、把持部５４を下にした状態で、クリップ５０を遊動させないで保持できる。
【００２６】
非ヒートシール部１２は、フィルム１０を剥離する際に、フィルム１０を掴む部分として用いられる。図１（ａ）に示した形態においては、フィルム１０を掴み易くするために、ヒートシール部１６の平面視上部が斜めに形成されており、これにより、非ヒートシール部１２が大きく形成されている。
【００２７】
（凹み１５）
また、ヒートシール部１６は、内視鏡用クリップ５０を収納した場合において、当該内視鏡用クリップ５０の接続部５２の平面視側部に位置するヒートシール部１６の少なくとも一方が、該接続部５２に向かって湾入するような凹み１５を有している。このようにヒートシール部１６に凹み１５を形成することによって、図２（ａ）および（ｂ）に示すように、非ヒートシール部１２におけるフィルム１０を掴んで、フィルム１０を基材２０から剥離する際において、フィルム１０が凹み１５を介して切断され、フィルム１０の上部を基材２０から剥離することができる。これにより、内視鏡用クリップ５０の接続部５２近傍のみを外部に露出させることができる。
【００２８】
凹み１５は、内視鏡用クリップ５０を収納した場合において、当該内視鏡用クリップ５０の接続部５２の平面視側部に位置するヒートシール部１６の両方において形成されていることが好ましい。この場合、フィルム１０の上部を左右両方向に剥離することができ、二つの非ヒートシール部１２のどちらを掴んでもフィルム１０を剥離することができる。
【００２９】
凹み１５の形状は、内視鏡用クリップ５０を収納した場合において、当該内視鏡用クリップ５０の接続部５２に向かって湾入するような頂角７０°以下の鋭角の凹部であることが好ましい。このような形状とすることによって、フィルム１０を剥離する際に凹部に応力が集中して、凹部を介してフィルム１０が切断され易くなる。
【００３０】
（切り込み３０）
本考案の包装体１００においては、内視鏡用クリップ５０を収納した場合において、当該内視鏡用クリップ５０の接続部５２の平面視側部方向における、包装体１００の側端部に、切り込み３０が形成されていることが好ましい。非ヒートシール部１２を掴んで、フィルム１０を基材２０から剥離する際には、切り込み３０が起点となって、フィルム１０が切断され、フィルム１０が横方向に切断される。
【００３１】
図１（ａ）の平面図において、フィルム１０を透視して、基材２０の上端部を点線で示したように、本考案の包装体１００においては、図１の平面視上部において、フィルム１０が余分にはみ出るようにしてフィルム１０と基材２０とがヒートシールされていることが好ましい。この場合、図１（ｂ）の背面図においては、基材２０の上部にフィルム１０がはみ出て見えている。このようにヒートシールすることにより、実際に使用する現場において、フィルム１０を基材２０から剥離する作業を容易かつ迅速に行うことができる。
【００３２】
図２に沿って、本考案の包装体１００の実際の使用形態を説明する。本考案の包装体１００は、非ヒートシール部１４におけるフィルム１０と基材２０との間に内視鏡用クリップ５０が収納され、非ヒートシール部１４の平面視下部がヒートシールされて、図２（ａ）の形態とされる。その後、内視鏡用クリップ５０を含む包装体１００は、ＥＯＧ等のガスにより滅菌処理されて流通される。
【００３３】
実際に医療現場において使用する際においては、使用者は、フィルム１０の非ヒートシール部１２を掴んでフィルム１０を横方向に引っ張ることによって、フィルム１０の上部のみを基材２０から剥離することができる。この際、フィルム１０を剥離する応力がまず切り込み３０に集中し、ここから切断が始まり、その後応力が凹み１５に伝わり、順に他方の凹み１５、切り込み３０と応力が伝わり、フィルム１０を平面視横方向においてスムーズに切断することができる。
【００３４】
このように、フィルム１０の上部のみを基材２０から剥離することによって、内視鏡用クリップ５０の接続部５２のみが外部に露出する。使用者は、外部に露出していない、把持部５４側を包装体１００を介して掴むことにより、露出した接続部５２をカテーテル６０に接続することができる。このようにして、クリップ５０には直接触れずに、クリップ５０をカテーテル６０に衛生的に装着することができる。なお、図２（ｃ）の形態においては、クリップの接続部５２をカテーテル６０に装着し易いように、フィルム１０が剥離された基材２０部分を後部側に折り返して使用している。
【００３５】
以上、現時点において、もっとも、実践的であり、かつ、好ましいと思われる実施形態に関連して本考案を説明したが、本考案は、本願明細書中に開示された実施形態に限定されるものではなく、請求の範囲および明細書全体から読み取れる考案の要旨或いは思想に反しない範囲で適宜変更可能であり、そのような変更を伴う内視鏡用クリップを収納するための包装体および内視鏡用クリップ内蔵包装体もまた本考案の技術的範囲に包含されるものとして理解されなければならない。
【図面の簡単な説明】
【００３６】
【図１】図１（ａ）は、本考案の内視鏡用クリップを収納するための包装体の平面図である。図１（ｂ）は、本考案の内視鏡用クリップを収納するための包装体の背面図である。
【図２】本考案の内視鏡用クリップを収納するための包装体の使用形態を説明する図面である。
【符号の説明】
【００３７】
１０  フィルム
１２、１４  非ヒートシール部
１５  凹み
１６  ヒートシール部
２０  基材
３０  切り込み
５０  クリップ
５２  接続部
５４  把持部
５６  クリップ本体
５８  押さえ管
６０  カテーテル
１００  包装体
【図１】
0003123739.tif 000003
【図２】
0003123739.tif 000004